(57)【要約】【課題】様々な大きさや形状の発光部を収納可能で、且つ発光部の交換が容易で且つ短時間に行える発光ルアーを提供する。【解決手段】両端面に貫通孔２ｂが穿設された中空のケース２と、発光部３と、挿通孔４ａを備えたロッド４と、ケース２の外周面を覆うようにして取り付けられる外装材５とを備えた発光ルアーであって、ケース２の貫通孔２ｂとロッド４の挿通孔４ａとを連通させて、釣糸７を挿通可能に形成するとともに、ケース２の内周面とロッド４の外周面との間に水密空間６を形成し、この水密空間６内に発光部３を収納する。【選択図】図１
2011147372.tif 000002
【特許請求の範囲】
【請求項１】
両端面に貫通孔（２ｂ）が穿設された中空のケース（２）と、発光部（３）と、挿通孔（４ａ）を備えたロッド（４）と、ケース（２）の外周面を覆うようにして取り付けられる外装材（５）とを備えた発光ルアーであって、ケース（２）の貫通孔（２ｂ）とロッド（４）の挿通孔（４ａ）とを連通させて、釣糸（７）を挿通可能に形成するとともに、ケース（２）の内周面とロッド（４）の外周面との間に水密空間（６）を形成し、この水密空間（６）内に発光部（３）を収納することを特徴とする発光ルアー。
【請求項２】
ケース（２）は、蓋体（２ｃ）と容器本体（２ｄ）とからなり、容器本体（２ｄ）に蓋体（２ｃ）が水密状に螺着されることで構成されている請求項１に記載の発光ルアー。
【請求項３】
水密空間（６）は、ロッド（４）の一方の端部をケース（２）の一方の貫通孔（２ｂ）に挿通させるとともに、ロッド（４）の他方の端部をケース（２）の他方の貫通孔（２ｂ）に挿通させることで形成されている請求項１又は２に記載の発光ルアー。
【請求項４】
発光部（３）は少なくとも電池（３ａ）と、この電池（３ａ）を利用して発光する発光素子（３ｂ）とを備え、ロッド（４）は、電池（３ａ）及び発光素子（３ｂ）の取付基台とされるとともに、発光素子（３ｂ）によって消費された電池（３ａ）と交換するための交換用の電池（３ａ）を収納可能な電池収納部（４ｇ）を備えている請求項１乃至３のいずれかに記載の発光ルアー。
【請求項５】
外装材（５）は、少なくともケース（２）を挿通可能な開口部（５ｂ）を有し、ケース（２）から着脱可能とされている請求項１乃至４のいずれかに記載の発光ルアー。
【発明の詳細な説明】
【技術分野】
【０００１】
この発明は、発光体を備えるルアーに関する。
【背景技術】
【０００２】
従来より、光源（発光部）を内蔵し、この光源を夜間や早朝等の暗い状況下で発光させることで、集魚効果を高めるルアーが見られる。
【０００３】
光源としては、化学反応によって発光させるものや、発光ダイオード等の発光素子に電圧を与えて発光させるものが主であるが、双方ともに耐水性に劣るため、ルアーに取り付ける場合は、水密空間に収納しておく必要がある。特に、発光ダイオード等の発光素子を使用する場合は、配線や電池等、耐水性の著しく劣る部品が使用されるため、化学反応によって発光させる光源に比べて、高い水密性が要求される。
【０００４】
特許文献１では、筒状に形成されたケース側壁の板厚部分に、一方にのみ開口を有する止まり孔を穿設し、この止まり孔内に化学反応によって発光する発光部を挿入して、止まり孔の開口をゴムパッキンで止水する構成が採られている。
【０００５】
また、特許文献２では、電池と発光ダイオード等の発光素子とを、耐水性の樹脂フィルムからなる袋体に入れ、完全密閉した状態でルアーに配設する構成が採られている。
【先行技術文献】
【特許文献】
【０００６】
【特許文献１】特開２００４−２４１５３号公報
【特許文献２】特開２００９−２７８９５３号公報
【発明の概要】
【発明が解決しようとする課題】
【０００７】
ところが、特許文献１の場合、ケース側壁の板厚部分に止まり孔を穿設する構成であるため、止まり孔の径を板厚以下に抑える必要がある。そのため、止まり孔に収納される発光部は、大きさが小さく、且つ構成の簡素な化学反応によるものに限られることとなって、汎用性の低いものとなっていた。
【０００８】
大きさが化学反応による発光部より大きく、且つ構成の複雑な発光ダイオード等の発光素子による発光部を収納するために、ケース側壁の厚みを増し、止まり孔の径を大きくする方法も考えられるが、止まり孔が、単なる円柱状の空間であるため、発光ダイオード等の発光素子、発光素子に接続される電池、発光素子と電池とを接続するための配線等を安定した状態で止まり孔に収納することができず、そのため、発光部が、発光ルアー使用中に止まり孔内で激しく振動し、発光素子の破損や断線を引き起こす虞があった。
【０００９】
さらに、ゴムパッキンによって止まり孔の開口を覆うだけの簡素な止水のみであるため、使用中に漏水する虞がある等、依然として、発光素子による発光部を使用することができなかった。
【００１０】
また、特許文献２の場合、電池と発光ダイオード等の発光素子とを、耐水性の樹脂フィルムからなる袋体に入れ、完全密封した状態でルアーに配設していることから水密性には問題ないものの、電池を交換する際に袋体の封を開ける必要があり、さらに再び密封する手間も必要となるから、交換作業に多くの時間や手間を費やすこととなりコスト高となっていた。
【００１１】
また、発光ルアーに取り付けられる発光部や電池は、ルアーの形状や大きさ、バランス等に影響を与えないために、非常に小さなものが用いられることが多く、さらに、発光ルアーが使用される環境は、夜間や早朝等、手元をはっきり視認できないような暗い状況であるため、このような状況下での発光部や電池の交換は、交換用の発光部や電池を道具箱の中から探したり、発光部や電池を所定の箇所に装填することが困難で、多くの時間や手間を費やすこととなっていた。
【００１２】
そこで、この発明は、上記の不具合を解消して、様々な大きさや形状の発光部を収納可能で、且つ発光部の交換が容易で且つ短時間に行える発光ルアーを提供するものである。
【課題を解決するための手段】
【００１３】
上記課題を解決するため、本発明の発光ルアーは、両端面に貫通孔２ｂが穿設された中空のケース２と、発光部３と、挿通孔４ａを備えたロッド４と、ケース２の外周面を覆うようにして取り付けられる外装材５とを備え、ケース２の貫通孔２ｂとロッド４の挿通孔４ａとを連通させて、釣糸７を挿通可能に形成するとともに、ケース２の内周面とロッド４の外周面との間に水密空間６を形成し、この水密空間６内に発光部３を収納することを特徴としている。
【００１４】
また、ケース２は、蓋体２ｃと容器本体２ｄとからなり、容器本体２ｄに蓋体２ｃが水密状に螺着されることで構成されている。
【００１５】
さらに、水密空間６は、ロッド４の一方の端部をケース２の一方の貫通孔２ｂに挿通させるとともに、ロッド４の他方の端部をケース２の他方の貫通孔２ｂに挿通させることで形成されている。
【００１６】
さらにまた、発光部３は少なくとも電池３ａと、この電池３ａを利用して発光する発光素子３ｂとを備え、ロッド４は、電池３ａ及び発光素子３ｂの取付基台とされるとともに、発光素子３ｂによって消費された電池３ａと交換するための交換用の電池３ａを収納可能な電池収納部４ｇを備えている。
【００１７】
また、外装材５は、少なくともケース２を挿通可能な開口部５ｂを有し、ケース２から着脱可能とされている。
【発明の効果】
【００１８】
この発明の発光ルアーにおいては、ケースの貫通孔とロッドの挿通孔とを連通させて、釣糸を挿通可能に形成しているため、発光ルアーを介して針と釣糸とを繋ぐことなく、直接針と釣糸とを結ぶことができる。そのため、魚が針に掛かった時の衝撃が発光ルアーに加わることなく、衝撃による発光ルアーの破損を防ぐことができ、その結果、水密空間の水密性を保つことができる。また、ケース内周面とロッド外周面とによって水密空間を形成しているため、ケース側壁の板厚内に水密空間を形成する場合に比べて、より大容量の水密空間を形成することが可能となり、様々な大きさや形状の発光部を収納することが可能となる。
【００１９】
また、ケースを、蓋体と容器本体とを螺着することで構成しているから、容器本体から蓋体をねじ回して外すことで、水密空間に収納された発光部を容易に取り出すことができ、発光部の交換作業を容易に且つ短時間に行うことができる。
【００２０】
さらに、水密空間を、ロッドの一方の端部をケースの一方の貫通孔に挿通させるとともに、ロッドの他方の端部をケースの他方の貫通孔に挿通させることで形成しているため、水圧によって、外側（水密空間側）に広がろうとするロッドとケースの貫通孔とが密着し、単に開口をゴムパッキンで覆い、止水する場合に比べて、格段に水密性を向上させることができる。
【００２１】
さらにまた、ロッドを電池及び発光素子の取付基台とすることによって、水密空間内に発光部を安定した状態で収納でき、発光素子の破損や断線を防止することができるとともに、ロッドに交換用の電池を収納可能な電池収納部を備えていることによって、電池を交換する際に、道具箱等から新たな電池を探す必要もなく、さらに電池を移動させる距離も僅かであるから、交換作業をさらに容易に且つ短時間に完了させることができる。
【００２２】
また、外装材を着脱可能に形成していることで、対象魚に合わせて外装材を取り変えることができ、低コストで様々な魚に対応することができる。
【図面の簡単な説明】
【００２３】
【図１】この発明の実施形態に係る発光ルアーを示した断面図である。
【図２】ケース内部を示す断面図である。
【図３】発光部及びロッドの分解断面図である。
【図４】ケース、発光部及びロッドの分解斜視図である。
【図５】発光ルアーの正面図である。
【発明を実施するための形態】
【００２４】
以下、この発明の実施形態を図面に基づいて詳細に説明する。この発明の一実施形態に係る発光ルアー１は、図１に示すように、中空のケース２と、発光部３と、挿通孔４ａを備えるロッド４と、ケース２の外周面を覆うようにして取り付けられる外装材５とから構成されている。
【００２５】
ケース２は、例えばアクリル樹脂等の透光性を有する硬質樹脂からなり、図２に示すように、筒の軸方向両端部に、筒の中空部を封止する蓋部２ａ、２ａが一体に設けられた形態となっている。また、蓋部２ａには、ケース２外方側の径が小さく、ケース２内方側の径が大きく形成された貫通孔２ｂが設けられている。具体的には、ケース２外方側の径は、ケース２に挿通される釣糸７より僅かに大径とされ、ケース２内方側の径は、ロッド４の外径と略同径とされている。
【００２６】
また、ケース２は、中央部近傍において蓋体２ｃと容器本体２ｄとに分割可能に形成されている。具体的には、蓋体２ｃには雄ネジ２ｅが、容器本体２ｄには雌ネジ２ｆが形成されており、雄ネジ２ｅを雌ネジ２ｆに螺着することで、軸方向両端部に蓋部２ａ、２ａを有するケース２が形成されている。また、雄ネジ２ｅの基端部分には、ゴム製のＯリング２ｇが冠着されており、雄ネジ２ｅを雌ネジ２ｆに螺着した際に、雌ネジ２ｆの先端部がＯリング２ｇに当接し、水密性を高めている。なお、必ずしも、雄ネジ２ｅを蓋体２ｃに、雌ネジ２ｆを容器本体２ｄに形成する必要はなく、蓋体２ｃに雌ネジ２ｆを、容器本体２ｄに雄ネジ２ｅを形成しても良い。
【００２７】
発光部３は、電池３ａと発光素子３ｂと回路３ｃとから構成されている。
【００２８】
電池３ａは、例えば一方側（マイナス側）から接続端子３ｄの延出された二酸化マンガンリチウム電池である。なお、二酸化マンガンリチウム電池は、一方側から接続端子３ｄの延出されたものに限らず、コイン型でも良い。また、二酸化マンガンリチウム電池に限らず、種々の電池を用いても良い。
【００２９】
発光素子３ｂは、例えば発光ダイオードからなる。また、発光ダイオードの端子３ｅは、回路３ｃ（プリント基板）に半田付け等で接続されている。また、発光ダイオードは、回路３ｃ上に２つ配設されており、一方側は、３色（赤、青、黄色）を点滅発光し、他方側が１色（紫）を点滅発光する。なお、発光ダイオードの色の組み合わせや配置数等は、使用状況に合わせて適宜変更可能である。
【００３０】
プリント基板は、図２及び図３に示すように、側面視略コ字状であり、上下の水平部分には、ロッド４を挿通可能なロッド挿通用孔３ｆ、３ｆが形成されている。
【００３１】
ロッド４は、軸心に挿通孔４ａの形成された筒状の例えば硬質樹脂であり、図３及び図４に示すように、ケース２と同様に２つに分割可能となっている。具体的には、一方側（図３及び図４において下方側）の端部に凹部４ｂが、他方側（図３及び図４において上方側）の端部に凹部４ｂに挿入可能な凸部４ｃが形成されており、凸部４ｃを凹部４ｂに挿入することによって一体とされる。また、一体となったロッド４の両端部近傍には、ケース２の蓋部２ａ、２ａに形成された貫通孔２ｂ、２ｂより僅かに大径なＯリング４ｄ、４ｄが冠着されており、ケース２の蓋部２ａの貫通孔２ｂにロッド４の端部を挿入すると、図２に示すように、貫通孔２ｂの内周面とロッド４の外周面との間にＯリング４ｄが介在し、貫通孔２ｂの内周面とロッド４の外周面との隙間を塞ぎ、水密性を高める。なお、ロッド４は、２つに分割可能とする必要は無く、一体に形成されていてもよい。
【００３２】
また、ロッド４には、図３及び図４に示すように、電池保持具４ｅが取り付けられている。具体的には、分割可能に形成されたロッド４の他方側の凸部４ｃ近傍の外周部に、二酸化マンガンリチウム電池を挿入可能な筒状の電池保持具４ｅが４つ取り付けられており、内２つは、電池保持具４ｅ内に挿入された二酸化マンガンリチウム電池の外周面及び接続端子３ｄに接続されるよう、回路３ｃから延出された端子片（図示しない）が配設され、電池装着部４ｆとされている。また、残りの２つには、端子片が配設されておらず、電池保持具４ｅ内に二酸化マンガンリチウム電池を挿入しても、回路３ｃと接続されることはない電池収納部４ｇとされている。すなわち、交換用の電池を収納するためのスペースが、電池を装着するスペースに隣接して設けてあるということである。また、電池保持具４ｅの電池収納部４ｇには、二酸化マンガンリチウム電池の着脱を容易とするために、側面にスリット４ｈが形成されている。このように、ロッド４を電池３ａの取付基台とすることによって、電池３ａを安定した状態で配設することができ、断線や接触不良を防止することができる。なお、電池保持具４ｅの数は４つに限らず、適宜変更可能である。また、電池装着部４ｆや電池収納部４ｇの数も２つに限らず、適宜変更可能である。
【００３３】
外装材５は、少なくとも発光素子３ｂが位置する部分に透光性を有し、且つケース２を内部に収納するための中空部を備えた例えば軟質樹脂であり、その外形は、図１及び図５に示すように、イカを模したものとなっている。そして、イカの頭部先端には、釣糸７を挿通可能な挿通孔５ａが形成され、イカの足の付け根部分には、ケース２を挿通可能な開口部５ｂが設けられている。従って、外装材５の開口部５ｂから、外装材５の内部にケース２を挿入するだけで、ケース２と外装材５との取り付けが行えるようになっている。なお、外装材５の外形は、イカに限らず、種々の魚を模したものでも良い。また、その材質も軟質樹脂に限らず、種々のものが使用可能である。
【００３４】
次に、本発明の発光ルアー１の組み立てについて詳細に説明する。まず、２つに分割されたロッド４の電池保持具４ｅを有する側に、発光ダイオードが接続されたプリント基板を接着剤等で接着し、プリント基板から延設された端子片を、電池保持具４ｅの電池装着部４ｆに配設する。この際、プリント基板を、電池保持具４ｅの二酸化マンガンリチウム電池を挿入する側とは反対側に、且つプリント基板に形成されたロッド挿通用孔３ｆ、３ｆが、ロッド４の軸心と重なるようにしておく。このように、ロッド４をプリント基板や発光素子３ｂの取付基台とすることで、発光素子３ｂを安定した状態で配設することができ、発光素子３ｂの破損を防止することができる。
【００３５】
次に、ロッド４の電池保持具４ｅを有しない側に形成された凹部４ｂを、プリント基板のロッド挿通用孔３ｆ、３ｆを挿通させながら、ロッド４の電池保持具４ｅを有する側の凸部４ｃに嵌合させて、ロッド４を一体に形成する。
【００３６】
次に、ケース２の容器本体２ｄ内にロッド４を挿入する。この際、ロッド４の一方端部を、容器本体２ｄの蓋部２ａの貫通孔２ｂに挿入する。そして、電池保持具４ｅの電池装着部４ｆ及び電池収納部４ｇに、二酸化マンガンリチウム電池を接続端子３ｄの延出された側とは反対側から挿入する。そのため、発光ダイオードに電圧が付加されることはない。なお、電池収納部４ｇに収納される二酸化マンガンリチウム電池は、接続端子３ｄの延出された側から挿入しても良い。
【００３７】
そして、ケース２の蓋体２ｃを、ロッド４の他方端部に被せるようにして、蓋体２ｃの雄ネジ２ｅと容器本体２ｄの雌ネジ２ｆを螺着する。この際、ロッド４の他方端部は、ケース２の蓋体２ｃの蓋部２ａの貫通孔２ｂに挿入されるため、ケース２の内周面とロッド４の外周面とで水密空間６が形成される。このように、水密空間６を、ロッド４の一方端部をケース２の容器本体２ｄの貫通孔２ａに挿通させ、ロッド４の他方端部をケース２の蓋体２ｃの貫通孔２ａに挿通させることで形成しているため、水圧によって、外側（水密空間６側）に広がろうとするロッド４とケース２の貫通孔２ａとが密着し、高い水密性を得ることができる。
【００３８】
そして、最後に、外装材５の開口部５ｂから、ケース２を外装材５の内部に挿入して組み立てを完了する。なお、二酸化マンガンリチウム電池の電池保持具４ｅへの挿入は、プリント基板から延設された端子片を、電池保持具４ｅの電池装着部４ｆへ配設した後から、ケース２の雄ネジ２ｅと雌ネジ２ｆとを螺着させる間であれば、何時でも良い。
【００３９】
次に、発光ルアー１の取り付け方法及び使用方法について詳細に説明する。発光ルアー１は、上記に示したように、外装材５には挿通孔５ａ及び開口部５ｂが形成され、外装材５のケース２の蓋部２ａ、２ａには貫通孔２ｂ、２ｂが形成され、さらにロッド４には挿通孔４ａが形成され、且つそれらがほぼ軸心を同じくして連通されているため、釣糸７を外装材５の挿通孔５ａから挿入すると、挿通孔５ａを通過した後、ケース２の蓋体２ｃの貫通孔２ｂからロッド４の挿通孔４ａを経由してケース２の容器本体２ｄの貫通孔２ｂまで貫通し、さらに外装材５の開口部５ｂから突出することとなる。そして、この突出した釣糸７に針８を結ぶことで、釣糸７に発光ルアー１が取り付けられる。なお、予め釣糸７の先端に針８が結ばれている場合は、針８からの長さが、発光ルアー１より長くなる位置で釣糸７を切断し、外装材５の開口部５ｂから釣糸７を挿入し、ケース２の貫通孔２ｂ、２ｂ及びロッド４の挿通孔４ａを経由させた後、外装材５の挿通孔５ａから突出させ、突出した釣糸７と切断された釣糸７とを繋ぎ合わせれば良い。このように、針８と釣糸７とを直接結ぶことによって、魚が針８に掛かった時の衝撃が発光ルアー１に加わることなく、直接釣糸７に伝わることとなるため、衝撃による発光ルアー１の破損を防ぐことができ、その結果、水密空間６の水密性を保つことができる。
【００４０】
釣糸７に取り付けられた発光ルアー１を発光させる場合は、外装材５を針８とは反対側に移動させて、外装材５の開口部５ｂからケース２を取り出すとともに、ケース２をねじ回して蓋体２ｃと容器本体２ｄとを分割し、電池保持具４ｅの電池装着部４ｆに挿入されていた二酸化マンガンリチウム電池を反転させて接続端子３ｄ側から挿入し、プリント基板から延出された端子片と接続端子３ｄとを接触させる。また、消灯する場合は、上記と同じく、外装材５の開口部５ｂからケース２を取り出し、ケース２をねじ回して蓋体２ｃと容器本体２ｄとを分解し、電池保持具４ｅの電池装着部４ｆに装着された二酸化マンガンリチウム電池を反転させて、二酸化マンガンリチウム電池の接続端子３ｄとは反対側から電池装着部４ｆに挿入する。そして、発光又は消灯が確認された段階で、ケース２の蓋体２ｃを容器本体２ｄに螺着して一体に形成し、外装材５を針８側に移動させて、ケース２を外装材５の開口部５ｂから外装材５の内部に収納することで、発光又は消灯作業を完了する。
【００４１】
また、電池３ａを交換する場合においても、まず、外装材５の開口部５ｂからケース２を取り出し、ケース２をねじ回して蓋体２ｃと容器本体２ｄとを分割する。そして、電池保持具４ｅの電池装着部４ｆから二酸化マンガンリチウム電池を抜き、電池保持具４ｅの電池収納部４ｇに収納された交換用の二酸化マンガンリチウム電池を接続端子３ｄ側から電池装着部４ｆに挿入する。そして、ケース２の蓋体２ｃを容器本体２ｄに螺着して一体に形成し、外装材５を針８側に移動させて、ケース２を外装材５の開口部５ｂから外装材５の内部に収納することで、電池３ａの交換作業を完了する。
【００４２】
このように、ケース２を、ねじ回すことによって容易に分割可能に形成していることから、発光の開始又は停止、電池３ａの交換を容易に且つ短時間に行うことが可能となる。また、ロッド４に交換用の電池３ａを収納可能な電池収納部４ｇを備えているため、電池３ａを交換する際に、道具箱等から交換用の電池３ａを探す必要もなく、さらに電池３ａを移動させる距離も僅かであるから、交換作業をさらに容易に且つ短時間に完了させることができる。
【００４３】
以上に、この発明の具体的な実施の形態について説明したが、この発明は上記実施形態に限定されるものではなく、この発明の範囲内で種々変更して実施することが可能である。例えば、上記実施例においては、発光部３として、電池３ａと発光素子３ｂと回路３ｃを用いていたが、化学反応による発光部を用いても良い。化学反応による発光部を用いた場合でも、交換用の発光部を電池収納部４ｇに収納しておくことができるため、上記実施例と同様の効果を得られる。なお、化学反応による発光部は、別段、安定した状態で収納する必要もないため、水密空間６にさえ収納すれば、電池保持具４ｅに収納していなくても良い。また、上記実施例においては、図１及び図２に示すように、蓋体２ｃの蓋部２ａに形成された貫通孔２ｂより、容器本体２ｄの蓋部２ａに形成された貫通孔２ｂのほうが、ロッド４の挿入長さが長くなっているが、これは、蓋体２ｃと容器本体２ｄを分割した際に、発光部３及びロッド４を容器本体２ｄ側に残すようにするためのものであるから、その必要がない場合、ロッド４の挿入長さは同一で良い。また、ケース２の蓋部２ａ、２ａに穿設された貫通孔２ｂ、２ｂの外側の径を、釣糸７の径と略同径とするのではなく、ロッド４の外径と略同径とし、ロッド４の両端部をケース２の外方へと突出させる形態としても良い。この場合においても、上記実施例の効果と同様の効果を得られる。
【符号の説明】
【００４４】
２・・ケース、２ｂ・・貫通孔、２ｃ・・蓋体、２ｄ・・容器本体、３・・発光部、３ａ・・電池、３ｂ・・発光素子、４・・ロッド、４ａ・・挿通孔、４ｇ・・電池収納部、５・・外装材、５ｂ・・開口部、６・・水密空間、７・・釣糸
【図１】
2011147372.tif 000003
【図２】
2011147372.tif 000004
【図３】
2011147372.tif 000005
【図４】
2011147372.tif 000006
【図５】
2011147372.tif 000007